(57)【要約】【課題】  遊技経験のない層に来店を促す。【解決手段】  遊技者の情報を管理する遊技用装置において、遊技者の所持する携帯端末から送信される情報に基づいて、当該遊技者の遊技店外における行動に対応する店外行動情報を特定する特定手段と、前記店外行動情報に基づいて遊技者が遊技店内で使用可能な遊技価値を付与する付与手段と、を備えるようにしてある。【選択図】    図１
2019187638.tif 000002
【特許請求の範囲】
【請求項１】
遊技者の情報を管理する遊技用装置において、
遊技者の所持する携帯端末から送信される情報に基づいて、当該遊技者の遊技店外における行動に対応する店外行動情報を特定する特定手段と、
前記店外行動情報に基づいて遊技者が遊技店内で使用可能な遊技価値を付与する付与手段と、を備える
ことを特徴とする遊技用装置。
【請求項２】
前記店外行動情報には、遊技者が所定基準を満たす運動量を伴って遊技店に来店したことに対応する情報が含まれる
ことを特徴とする請求項１に記載の遊技用装置。
【請求項３】
前記店外行動情報には、遊技者が遊技店に徒歩で来店したことに対応する情報が含まれる
ことを特徴とする請求項１又は請求項２に記載の遊技用装置。
【請求項４】
前記遊技価値は、遊技店内に設置される遊技機で遊技するために使用可能である
ことを特徴とする請求項１から請求項３のいずれか一項に記載の遊技用装置。
【請求項５】
前記遊技価値は、遊技店が取り扱う景品との交換に使用可能である
ことを特徴とする請求項１から請求項４のいずれか一項に記載の遊技用装置。
【請求項６】
前記特定手段は、遊技者の所持する携帯端末から送信される情報に基づいて、当該遊技者の遊技店内における行動に対応する店内行動情報を特定可能とし、
前記店内行動情報には、喫煙を抑制するための機器を使用すること、または、遊技者の生体情報を計測するための機器を使用することに対応する情報が含まれ、
前記付与手段は、前記店内行動情報に基づいて前記遊技価値を付与する
ことを特徴とする請求項１から請求項５のいずれか一項に記載の遊技用装置。
【請求項７】
前記遊技者に付与された遊技価値を管理可能な管理手段を備え、
前記遊技価値は、遊技店外において所定システムを介して遊技者が購入可能であり、
前記管理手段は、前記付与手段により遊技者に付与された前記遊技価値と、前記所定システムを介して購入された前記遊技価値と、を管理可能である
ことを特徴とする請求項１から請求項６のいずれか一項に記載の遊技用装置。
【発明の詳細な説明】
【技術分野】
【０００１】
本発明は、遊技者に遊技価値を付与する遊技用装置に関する。
【背景技術】
【０００２】
従来から、スロットマシンやパチンコ機等の遊技機が設置されている遊技場では、遊技者に所定の特典を付与可能とする遊技場システムが導入されている。
例えば、特許文献１には、遊技場の入場を自動的に検知して来店の特典を付与するシステムが開示されている。
【先行技術文献】
【特許文献】
【０００３】
【特許文献１】特開２０１５−１４６８５５号公報
【発明の概要】
【発明が解決しようとする課題】
【０００４】
しかしながら、従来のシステムにおいては改良の余地があった。
【課題を解決するための手段】
【０００５】
上記目的を達成するため、本発明の遊技用装置は、遊技者の情報を管理する遊技用装置において、遊技者の所持する携帯端末から送信される情報に基づいて、当該遊技者の遊技店外における行動に対応する店外行動情報を特定する特定手段と、前記店外行動情報に基づいて遊技者が遊技店内で使用可能な遊技価値を付与する付与手段と、を備えるようにしてある。
【図面の簡単な説明】
【０００６】
【図１】遊技システムの全体構成図である。
【図２】遊技トークンサーバのブロック図である。
【図３】トークン会員の会員情報リストの一例である。
【図４】スマートフォンから遊技トークンサーバに送信される情報と、当該情報から特定される特定情報と、遊技トークンの付与数との対応表である。
【図５】遊技トークンの取引履歴を示す管理表の一例である。
【図６】スマートフォンのブロック図である。
【図７】トークン会員の会員登録ページの一例である。
【図８】行動検知機器ごとに設定された遊技トークンの付与条件を示す図表である。
【図９】駐輪検知機器のブロック図である。
【図１０】受付機のブロック図である。
【図１１】禁煙機器のブロック図である。
【図１２】血圧計のブロック図である。
【図１３】駐輪検知機器における所定動作から遊技トークン付与に至るまでの一連の動作を示すシーケンス図である。
【図１４】スポーツ施設の受付機における所定動作から遊技トークン付与に至るまでの一連の動作を示すシーケンス図である。
【図１５】禁煙機器における所定動作から遊技トークン付与に至るまでの一連の動作を示すシーケンス図である。
【図１６】店内の血圧計における所定動作から遊技トークン付与に至るまでの一連の動作を示すシーケンス図である。
【図１７】スマートフォンにおける所定動作から遊技トークン付与に至るまでの一連の動作を示すシーケンス図である。
【図１８】スマートフォンにおいて、行動検知機器との通信前に表示されるメッセージの一例である。
【図１９】スマートフォンにおいて、遊技トークンが付与された場合に表示される情報の一例である。
【図２０】遊技店内において遊技トークンを購入する場合の一連の動作を示すシーケンス図である。
【図２１】外部システムを介して遊技トークンを購入する場合の一連の動作を示すシーケンス図である。
【図２２】遊技トークンを使用して遊技媒体の貸出しを行う場合の一連の動作を示すシーケンス図である。
【図２３】トークン会員ＩＤのバーコードである。
【図２４】遊技トークンを使用して景品交換を行う場合の一連の動作を示すシーケンス図である。
【図２５】特定景品と交換トークン数との対応表である。
【図２６】特定景品と景品交換が行われる場合の一連の動作を示すシーケンス図である。
【図２７】特定景品と遊技トークンの付与数との対応表である。
【図２８】スマートフォンに表示可能な情報の一例を示す図である。
【発明を実施するための形態】
【０００７】
以下、本発明に係る遊技用装置を備える遊技用システムの好ましい実施形態について、図１〜図２８を参照して説明する。
【０００８】
本実施形態に係る遊技用システム１は、図１に示すように、パチンコ機１０ａ、スロットマシン１０ｂなどの遊技機１０、及び複数の遊技用装置で構成されている。
【０００９】
遊技用装置としては、各台計数機能付きサンド２０、台コンピュータ３０、島コンピュータ４０、ホールコンピュータ５０、遊技球又はメダルなどの遊技媒体（以下、遊技媒体を「玉」と表現することがある）と景品との交換処理を行う景品交換装置６０、遊技者の持玉を管理する持玉サーバ７０、会員である遊技者の貯玉を管理する会員管理装置８０、精算機９０などを備えている。
これらの遊技用装置は、それぞれ通信手段を備え、所定のネットワーク（例えば、ローカル・エリア・ネットワーク）を介してデータ通信可能に接続されている。
【００１０】
ホールコンピュータ５０は、遊技機１０、各台計数機能付きサンド２０などから出力される情報に基づいて遊技機１０ごとの遊技データを収集する。
例えば、遊技機１０からは、遊技媒体の投入数を示す「アウト情報」、遊技媒体の払出数を示す「セーフ情報」などが出力され、これらが遊技データとして収集される。
また、各台計数機能付きサンド２０からは、対応して設けられる遊技機１０において獲得された遊技媒体（持玉）の計数、計数された遊技媒体の払い戻し、投入金額に応じた遊技媒体の貸し出し、及び計数された遊技媒体の数や投入金額の残高の記録されたカードの返却及び受け入れなどの取引きを実行可能に構成されていることから、それぞれの取引きに対応する取引情報が出力され、遊技データとして収集される。取引情報には、例えば、「紙幣投入」、「カード挿入」、「カード返却」、「貸出」、「計数」、「払戻」、「カードスタック」、「カードセット」などがある。
なお、「カード」は、会員カード（遊技店の会員が獲得した遊技媒体を遊技店に預け入れ、当日以降においても引き出し可能なカード）や、ワンデイカード（遊技店の非会員が獲得した遊技媒体を遊技店に預け入れ、当日限り引き出し可能なカード）の総称を示す。
【００１１】
各台計数機能付きサンド２０（２０ａは遊技球用，２０ｂはメダル用）は、遊技機ごとに設置された装置であって、現金の投入、カードの挿入に基づいて所定量の遊技媒体を遊技者に貸し出す貸出機能を備えている。
また、各台計数機能付きサンド２０は、対応して設けられる遊技機１０において獲得された遊技媒体の計数を行い、計数値を持玉サーバ７０又は会員管理装置８０に送信して当日持玉又は貯玉として貯留させる機能や、当日持玉数又は貯玉数の範囲内において遊技者に遊技媒体を払い出す払出機能（再プレイ機能）や、各装置との間で所定の情報を送受信する通信機能などを備えている。
【００１２】
このような各台計数機能付きサンド２０が設置された遊技場では、遊技者は以下のような遊技の流れに沿って遊技を行うことができる。
例えば、遊技者は、遊技の開始にあたり、各台計数機能付きサンド２０に現金を投入するとともに、所定の貸出操作を行うことにより、遊技媒体の貸し出しを行う。貸し出された遊技媒体は遊技機１０に投入され遊技が開始される。遊技の結果、獲得された遊技媒体は、各台計数機能付きサンド２０に投入されることにより計数される。または、各台計数機能付きサンド２０に対して所定の計数操作を行うことにより計数される。計数された遊技媒体を再び遊技に用いるときには、各台計数機能付きサンド２０に対して所定の払戻操作を行うことにより払い戻すことができる。遊技を終了するときには、各台計数機能付きサンド２０に対して所定の返却操作を行うことにより計数された遊技媒体の残数、投入された現金の残高、返却時刻などの記録されたカードが返却される。
【００１３】
また、返却されたカードを上記の各台計数機能付きサンド２０とは異なる他の各台計数機能付きサンド２０に投入することができ、当該カードに記録された遊技媒体の残数、現金の残高に基づいて、他の各台計数機能付きサンド２０に対応して設けられる遊技機において上記と同様な手順により遊技を行うことができる。
【００１４】
また、後記遊技トークンシステムにおいて、遊技トークンを使用して遊技できるようにするため、各台計数機能付きサンド２０では、遊技トークンと引き替えに遊技媒体の貸し出しができるようにしている。
遊技トークンを用いて遊技媒体を貸し出す方法については、後述する。
【００１５】
景品交換装置６０は、遊技者が所持する遊技媒体数の範囲内で、遊技者が希望する景品との交換処理を行う。
例えば、各台計数機能付きサンド２０から返却されたカードを景品カウンターに滞在する店員等に渡すと、店員等の操作に基づいて景品交換装置６０が景品交換処理を行う。
この景品交換処理では、カードから景品交換装置６０に備えるカードリーダ６０ａを介して遊技媒体の残数を読み込むとともに、この残数に対応する景品との決済処理を実行する。
また、カードに現金の残高が記録されているときには、そのカードを遊技者が精算機８０に投入することにより、精算処理が行われ、精算機９０から残高に対応する現金が払い出される。
【００１６】
持玉サーバ７０は、遊技者が遊技により獲得した遊技媒体の数量である持玉数を管理する。
具体的には、持玉サーバ７０は、遊技者のカードの使用に関する情報を記録した持玉管理データベースを記憶する。この持玉管理データベースは、例えば、ワンデイカードのカードＩＤ、現金の残高、当日持玉数等によって構成されている。
持玉サーバ７０は、各台計数機能付きサンド２０から送信されてくるカードＩＤや各種操作信号に基づいて持玉管理データベースを更新する。
例えば、遊技機１０において玉貸操作が行われた際に送信されてくる操作信号（売上信号）を受信した場合には、カードＩＤに対応する現金の残高から所定値を減算して得られた差を新たな現金の残高として記憶する。
また、各台計数機能付きサンド２０において払出操作が行われた際に送信されてくる操作信号（当日持玉再プレイ信号）を受信した場合には、カードＩＤに対応する当日持玉数から所定値を減算して得られた差を新たな当日持玉数として記憶する。
また、各台計数機能付きサンド２０においてカードの返却操作が行われた際に送信されてくる操作信号（返却信号）を受信した場合には、その時点での現金の残高、当日持玉数等を受信し、カードＩＤと紐付けてそれぞれを記憶する。
【００１７】
会員管理装置８０は、遊技場に会員として登録された遊技者に関する情報を管理したり、他の装置との間で会員として登録された遊技者に関する情報を送受信することで、会員が遊技により獲得した遊技媒体の数量である貯玉数を管理する。
会員管理装置８０は、会員に関する情報を記録した会員データベースを記憶する。この会員データベースは、会員の住所、電話番号等、会員カードのカードＩＤ（会員番号）、貯玉数、当日持玉数、現金の残高等によって構成されている。
会員管理装置８０は、各台計数機能付きサンド２０から送信されてくるカードＩＤや各種操作信号に基づいて会員データベースを更新する。
例えば、遊技機１０において玉貸操作が行われた際に送信されてくる操作信号（売上信号）を受信した場合には、カードＩＤに対応する現金の残高から所定値を減算して得られた差を新たな現金の残高として記憶する。
また、各台計数機能付きサンド２０において払出操作が行われた際に送信されてくる操作信号（貯玉再プレイ信号）を受信した場合には、カードＩＤに対応する貯玉数又は当日持玉数から所定値を減算して得られた差を新たな貯玉数又は新たな当日持玉数として記憶する。
また、各台計数機能付きサンド２０においてカード返却操作が行われた際に送信されてくる操作信号（返却信号）を受信した場合には、その時点での現金の残高、貯玉数、当日持玉数等を受信し、カードＩＤと紐付けてそれぞれを記憶する。
【００１８】
このように、本実施形態の遊技用システムは、上述した遊技機及び各遊技用装置を備えることで、遊技場における一般的な遊技サービスを提供することができる。
加えて、本実施形態の遊技用システムは、遊技店が管理する独自の通貨として、遊技トークン（例えば、ビットコイン（登録商標）に用いられるブロックチェーン技術を利用した代用通貨）と呼ばれる遊技価値を遊技店内で使用できるサービスを提供できるようにしている。
以下、このようなサービスを提供可能なシステム（遊技トークンシステム）について、詳細に説明する。
【００１９】
［遊技トークンシステム］
本実施形態の遊技トークンシステムは、遊技店の遊技者が遊技トークンを購入できるほか、遊技者が健康増進に資する行動をとったとみなされる所定条件（以下、付与条件という）を満たした場合に遊技トークンを付与するシステムである。
また、遊技トークンシステムでは、遊技者が、遊技店内に設置される遊技機において、購入又は付与により得た遊技トークンを遊技媒体に交換して遊技等を行えるようにしている。
このように、遊技トークンシステムは、遊技店の遊技者をサービスの利用者として想定しているところ、本実施形態では、予め登録した当該システムの会員（以下、トークン会員という）がサービスを利用できるようにしている。
ただし、本サービスは、遊技店の会員など、トークン会員でない遊技者であっても利用することができる。
このため、本サービスの利用者を、適宜、トークン会員とも遊技者ともいう。
【００２０】
遊技トークンシステムは、主に、遊技トークンサーバ１００、スマートフォン２００、及び行動検知機器を備え、これらの機器は、公衆回線（インターネット、携帯通信回線など）や店内ネットワーク（ＬＡＮなど）を介して相互に通信できるように構成されている。
遊技トークンサーバ１００、スマートフォン２００、行動検知装置３００〜６００についてそれぞれ説明する。
【００２１】
［遊技トークンサーバ］
遊技トークンサーバ１００は、遊技者の情報を管理する情報処理装置（本発明の遊技用装置）であって、遊技トークンの発行、付与などの取引処理や遊技トークンの管理を行う。
遊技トークンサーバ１００は、図２に示すように、通信部１１０、記憶部１２０、表示部１３０、操作部１４０、及び制御部１５０を備える。
通信部１１０は、スマートフォン２００との間でデータ通信を行うための通信手段である。また、通信部１１０は、他の遊技用装置や外部システムとの間でもデータ通信を行うことができる。
記憶部１２０は、プログラムやデータを記憶するための記憶手段である。
記憶部１２０に記憶されるデータには、例えば、図３に示す会員情報リスト、図４に示す対応表、図５に示す管理表などがある。
表示部１３０は、液晶ディスプレイなどの表示手段である。
操作部１４０は、キーボードやマウスなどの操作手段である。
【００２２】
制御部１５０は、上記各構成部を制御するコンピュータであり、記憶部１２０に記憶されているプログラムに基づいて各種制御動作を行う。
例えば、スマートフォン２００から送信される駐輪情報、受付情報、徒歩来店情報などの情報に基づいて、遊技者の遊技店外における行動に対応する店外行動情報を特定する処理（本発明の特定手段の動作）や、特定した店外行動情報に基づいて遊技トークンを付与する処理を行う（本発明の付与手段の動作）。
また、特定手段の他の動作として、スマートフォン２００から送信される禁煙情報、血圧計使用情報などの情報に基づいて、遊技者の遊技店内における行動に対応する店内行動情報を特定する処理や、対応する付与手段の動作として、特定した店内行動情報に基づいて遊技トークンを付与する処理を行う。
また、付与手段により遊技者に付与された遊技トークンと、遊技店外のシステムを介して購入された遊技トークンとを管理する動作も行う（本発明の管理手段の動作）。
【００２３】
［スマートフォン］
スマートフォン２００は、本発明の携帯端末の一実施形態であり、遊技者が所持する携帯型の情報通信端末である。なお、スマートフォン２００の代わりに、タブレット端末や携帯可能なパーソナルコンピュータを適用することもできる。
スマートフォン２００は、図６に示すように、通信部２１０、記憶部２２０、表示部２３０、操作部２４０、位置情報取得部２５０、及び制御部２６０を備える。
通信部２１０は、遊技トークンサーバ１００や行動検知機器との間でデータ通信を行うための通信手段である。
通信部２１０は、具体的には、遊技トークンサーバ１００とは、インターネット回線等の公衆回線や店内ネットワークを介して通信を行い、各行動検知機器とは、ＮＦＣ（Near  Fieald  Communication）、ブルートゥース（登録商標。以下同じ。）、ブルートゥース・ロー・エナジーなどの近距離無線通信手段を介して通信を行う。なお、これらの通信手段は、一例であり、他の通信手段（有線ＬＡＮ、無線ＬＡＮなど）を採用することもできる。
【００２４】
記憶部２２０は、プログラムやデータを記憶するための記憶手段である。
記憶部２２０に記憶されるプログラムには、遊技トークンシステムに関連する動作を行わせるためのアプリケーションプログラム（以下、アプリという）がある。アプリは、例えば、所定のＷｅｂサイト（Ｗｅｂサーバ）からダウンロードすることができる。
また、記憶部２２０には、Ｗｅｂサイトの閲覧ソフトウェア（ブラウザ）も記憶されている。
記憶部２２０に記憶されるデータには、遊技店の位置情報などがある。また、スマートフォン２００の所持者の自宅、最寄りの駅、近隣施設などの位置情報や、同じチェーンに加盟する各店舗の位置情報を記憶させておくこともできる。他のチェーン店の位置情報も記憶させておくことができる。
また、記憶部２２０には、行動検知機器から送信される駐輪情報、受付情報、血圧計使用情報などの情報をそれぞれ識別するための識別情報として、これらと同一の情報を予め記憶している。
【００２５】
表示部２３０は、液晶パネル（タッチパネル）などの表示手段である。
操作部２４０は、液晶パネルにおけるタッチ操作手段である。
例えば、所定操作によって、図７に示すような会員登録ページ（トップページ）を表示部２３０に表示させることができる。
図７に示す会員登録ページにおいて「会員登録」をタッチすることで、会員情報入力ページが表示される（図示省略）。
この会員情報入力ページで、住所、氏名、メールアドレス、年齢、トークン会員ＩＤ、パスワードなどの会員情報を入力し登録操作を行うことでこれらの会員情報が遊技トークンサーバ１００に送信されて登録される（図３参照）。
なお、トークン会員の会員情報には、遊技店の会員（店舗会員）の会員番号を加えることもできる。
トークン会員ＩＤとパスワードは認証情報として用いられる。
例えば、ログインページにおいて認証情報を入力すると、認証情報が遊技トークンサーバ１００に送信されて登録情報と照合され、照合一致により認証が得られた場合にログイン状態となり、遊技トークンの購入等のサービスを受けることが可能になる。
ログイン状態は、保持させておくことができ、また、認証情報をメモリに保持させておくことで、次回のログインページへのアクセス時に認証情報の入力操作を省いてログインすることができる。
【００２６】
位置情報取得部２５０は、例えば、ＧＰＳ（Global  Positioning  System）機能により、スマートフォン２００（すなわち遊技者自身）の位置情報を取得する位置情報取得手段である。
制御部２６０は、上記各構成部を制御するコンピュータであり、アプリの機能によって、各種制御動作を行う。
例えば、行動検知機器や遊技トークンサーバ１００との間で情報の送受信に関する制御を行う。
具体的には、駐輪検知機器３００、受付機４００、血圧計６００から駐輪情報、受付情報、血圧計使用情報を受信した場合、これらの情報を遊技トークンサーバ１００に送信する。
また、禁煙機器５００との間でペアリングが実施されたことを検知した場合であって、かつ、遊技者が遊技店内にいるとの判定が行われた場合は、店内で禁煙を行っていることを示す禁煙情報を遊技トークンサーバ１００に送信する。
スマートフォン２００において、遊技者が徒歩で来店したことを判定した場合には、徒歩での来店を示す徒歩来店情報を遊技トークンサーバ１００に送信する。
【００２７】
制御部２６０は、位置情報取得部２５０が取得した位置情報に基づいて遊技者の現在の位置を特定することができ、これにより、遊技者が遊技店内にいることを判定することができる。
また、遊技者の移動経路や特定区間における移動距離を求めることができる。
位置情報と時間情報に基づいて、特定区間における遊技者の移動時間を求めることができ、求めた移動距離と移動時間に基づいて特定区間における移動速度（＝移動距離／移動時間）を求めることもできる。
【００２８】
［行動検知機器］
行動検知機器は、健康増進に資する遊技者の行動を検知するための機器であり、本実施形態では、駐輪検知機器３００、受付機４００、禁煙機器５００、血圧計６００、スマートフォン２００を例示する。
本実施形態の遊技トークンシステムでは、健康増進に資する行動をとったとみなされる付与条件を満たした場合に遊技トークンを付与するところ、この付与条件は、図８に示すように、各行動検知機器に対応して設定されている。
各行動検知機器の構成及び付与条件について説明する。
【００２９】
［駐輪検知機器］
駐輪検知機器３００は、遊技店の駐輪場に自転車が駐輪されたことを検知するセンサである。
そして、この駐輪検知機器３００により遊技店の駐輪場に自転車が駐輪されたことが検知された場合は、付与条件を満たすとして遊技トークンを付与するようにしている（図８参照）。
このような付与条件としたのは、遊技店の駐輪場に遊技者の自転車が駐輪されたことを検知した場合、その自転車で遊技者が遊技店に来店した蓋然性が高く、遊技者は所定基準を満たす運動量を伴って来店したことで、健康増進に資する行動をとったとみなすことができるからである。
また、「来店」を付与条件に含めることで、遊技の足掛かりにすることができるからである。
すなわち、遊技者は、健康になりながら遊技トークンを得ることができるところ、特に、自転車で来店するだけで無料で遊技を行うことができるため、元々遊技経験がない層に対しても遊技を促すことができる。
【００３０】
駐輪検知機器３００は、図９に示すように、センサ部３１０と無線通信部３２０とを備える。
センサ部３１０は、光学センサや物理センサなどからなり、駐輪場の駐輪ラックなどに自転車の車輪が収容されていることを検知する。これにより、遊技店の駐輪場に自転車が駐輪されたことを検知することができる。
無線通信部３２０は、スマートフォン２００との間で無線通信を行うための通信手段であり、本実施形態では、ブルートゥース・ロー・エナジー（以下、ＢＬＥという）と呼ばれる無線通信方式の通信デバイスを採用している。ただし、これに限らず、他の行動検知機器で使用される通信手段を含めあらゆる通信手段を用いることができる。
ＢＬＥは、基本動作として、近隣周囲（駐輪検知機器３００から約１０ｍの範囲内）に対し無線標識であるビーコン信号を送信する動作を行う。
ビーコン信号には、例えば、任意の英数字の情報を含めることができることから、予め定めた特定の情報を、駐輪されたことを示す「駐輪情報」として設定することができる。
また、ビーコン信号には、駐輪検知機器３００の固有情報（例えば、通信デバイスのＭＡＣアドレス）を含めることができるため、この固有情報を「駐輪情報」とすることもできる。
【００３１】
駐輪検知機器３００は、制御動作として、センサ部３１０が自転車の駐輪を検知したことに基づいて、無線通信部３２０が「駐輪情報」を含むビーコン信号を送信するようにしている。
そうすると、駐輪場に自転車が駐輪されたことに基づいて「駐輪情報」が近隣周囲に送信されるため、自転車で来店した遊技者のスマートフォン２００に向けて「駐輪情報」を送信させることができる。
「駐輪情報」に基づくシステム全体の動作は後述する（図１３参照）。
【００３２】
［受付機］
受付機４００は、遊技店近隣のスポーツ施設に設けられる機器であり、スポーツ施設において受付処理が行われたことを検知するために用いられる。
そして、この受付機４００によって受付処理が行われたことが検知された場合は、付与条件を満たすとして遊技トークンを付与するようにしている（図８参照）。
このような付与条件としたのは、スポーツ施設の受付機４００において遊技者の受付処理が行われた場合、遊技者は何らかのスポーツ活動を行った蓋然性が高く、これを健康増進に資する行動とみなすことができるからである。
また、「遊技店近隣」のスポーツ施設とすることで、当該スポーツ施設におけるスポーツ活動により得た遊技トークンをその近くの遊技店での遊技に使用し易くできるため、来店や遊技を促すことができるからである。
例えば、スポーツ施設でスポーツを行う前に遊技店に来店したり、スポーツ施設でスポーツを行った後に遊技店に来店することが考えられ、この場合、遊技者は所定基準を満たす運動量を伴って遊技店に来店したとみなすこともできる。
【００３３】
受付機４００は、図１０に示すように、受付端末４１０と、外付けの無線通信部４２０とを備える。
受付端末４１０は、パーソナルコンピュータなどの情報処理端末を例示することができる。
無線通信部４２０は、スマートフォン２００との間で無線通信を行うための通信手段であり、本実施形態では、最大通信距離が１０ｃｍ程度の非接触式（ＮＦＣ）のリーダライタを採用している。ただし、これに限らず、他の行動検知機器で使用される通信手段を含めあらゆる通信手段を用いることができる。
リーダライタは、ＩＣカードに記憶されている情報を読み取る（受信する）とともに、任意の情報をＩＣカードに書き込む（送信する）ことができる無線通信デバイスである。
【００３４】
ここで、スポーツ施設では、施設会員が所持するスマートフォン２００がＮＦＣ対応端末である場合、スマートフォン２００をリーダライタにかざすだけでスマートフォン２００のメモリに記憶されている施設会員ＩＤを読み出して施設会員の受付処理ができる受付システムを採用しているものとする。
本実施形態の遊技トークンシステムは、この受付システムを利用し、施設会員及びトークン会員である遊技者のスマートフォン２００をリーダライタにかざすと、施設会員としての受付処理を行うだけでなく、当該受付処理が行われたことを示す「受付情報」をスマートフォン２００に送信することができる。
「受付情報」に基づくシステム全体の動作は後述する（図１４参照）。
【００３５】
［禁煙機器］
禁煙機器５００は、喫煙を抑制するための機器の一例であり、電子パイポ（登録商標。以下同じ。）などの吸入式電子禁煙具を例示することができる。
そして、このような禁煙機器５００を遊技店内で使用した場合に、付与条件を満たすとして遊技トークンを付与するようにしている（図８参照）。
このような付与条件としたのは、禁煙機器５００の使用は喫煙を抑制する行為であり、健康増進に資する行動とみなすことができるからである。
また、「遊技店内」に限定することで、遊技の足掛かりにすることができるからである。
すなわち、遊技者は、健康になりながら遊技トークンを得ることができるところ、特に、遊技店で禁煙するだけで無料で遊技を行うことができるため、元々遊技経験がない層に対しても遊技を促すことができる。
【００３６】
禁煙機器５００は、図１１に示すように、機器本体５１０と、機器本体５１０に内蔵の無線通信部５２０とを備えている。
機器本体５１０は、吸入式電子禁煙具そのものであり、例えば、電源のオン操作に応じ、タバコ成分を含まない液体が加熱・蒸発され、蒸気を吸入できるようになっている。
無線通信部５２０は、スマートフォン２００との間で無線通信を行うための通信手段であり、本実施形態では、ブルートゥース（以下、ＢＴという）と呼ばれる無線通信方式の通信デバイスを採用している。ただし、これに限らず、他の行動検知機器で使用される通信手段を含めあらゆる通信手段を用いることができる。
ＢＴは、数ｍ〜数十ｍの範囲が通信可能範囲であり、通信可能範囲内に位置する２台のＢＴ対応機器同士が、ペアリングと呼ばれる接続先確定動作を行った後に通信できるようになっている。ペアリングは、一度行うと（事前ペアリングともいう）、次回からは、対象機器が通信可能範囲内に位置するだけで自動的に行われるように設定することができる（自動ペアリング）。
【００３７】
この点、遊技者は、外出中、つまり遊技店内ではスマートフォン２００を所持していることが多く、遊技店内で禁煙機器５００を使用するときは、スマートフォン２００と禁煙機器５００とは、通信可能範囲内に位置する蓋然性が高い。
このため、禁煙機器５００とスマートフォン１００に対し自動ペアリングの設定をしておけば、遊技者が禁煙機器５００の電源をオンにするだけで、禁煙機器５００とスマートフォン２００とが自動的にペアリングされる。
本実施形態では、スマートフォン２００において、このペアリングを検知し、かつ、遊技者が遊技店内にいることが判定された場合に、遊技店内で禁煙機器５００が使用されたとみなし、この場合、付与条件を満たすとして遊技トークンを付与するようにしている（図８参照）。
「ペアリング」に基づくシステム全体の動作は後述する（図１５参照）。
【００３８】
［血圧計］
血圧計６００は、遊技店内に設置されている生体情報計測機器の一例である。
そして、この血圧計６００を使用した場合に、付与条件を満たすとして遊技トークンを付与するようにしている（図８参照）。
このような付与条件としたのは、生体情報を計測する行為は、体調管理を行っていることを示す行為であり、その行為が健康増進に資する行動とみなすことができるからである。
また、「遊技店内」に限定することで、遊技の足掛かりにすることができるからである。
すなわち、遊技者は、健康になりながら遊技トークンを得ることができるところ、特に、遊技店で生体情報を測定するだけで無料で遊技を行うことができるため、元々遊技経験がない層に対しても遊技を促すことができる。
【００３９】
血圧計６００は、図１２に示すように、血圧計本体６１０と、外付けの無線通信部６２０とを備えている。
血圧計本体６１０は、血圧計そのものであり、例えば、上腕部を固定する固定部材を備え、当該固定部材に固定した上腕部を介して血圧測定を行うものを例示することができる。
無線通信部６２０は、スマートフォン２００との間で無線通信を行うための無線通信デバイスであり、本実施形態では、近隣周囲にビーコン信号を無線送信するＢＬＥを採用している。ただし、これに限らず、他の行動検知機器で使用される通信手段を含めあらゆる通信手段を用いることができる。
【００４０】
ビーコン信号には、任意の情報を含めることができることから、この情報を血圧計が使用されたことを示す「血圧計使用情報」とすることができる。
また、ビーコン信号には、血圧計６００の固有情報（例えば、無線通信デバイスのＭＡＣアドレス）を含めることができるため、この固有情報を「血圧計使用情報」とすることもできる。
本実施形態の血圧計６００は、血圧計本体６１０による血圧測定中に無線通信部６２０がビーコン信号を送信するようにしている。
そうすると、血圧計６００の使用中に「血圧計使用情報」が近隣周囲に送信されることになることから、血圧測定中の遊技者のスマートフォン２００に向けて確実に「血圧計使用情報」を送信させることができる。
「血圧計使用情報」に基づくシステム全体の動作は後述する（図１６参照）。
【００４１】
［行動検知機器としてのスマートフォン］
スマートフォン２００は、アプリの機能として、遊技者が徒歩で来店したことを検知する行動検知機器として用いることもできる。
そして、スマートフォン２００において、徒歩で来店したことを判定した場合には、付与条件を満たすとして遊技トークンを付与するようにしている（図８参照）。
このような付与条件としたのは、徒歩での来店は、「歩く」という所定基準を満たす運動量を伴って来店した行動であり、健康増進に資する行動とみなすことができるからである。
また、「来店」を付与条件に含めることで、遊技の足掛かりにすることができるからである。
すなわち、遊技者は、健康になりながら遊技トークンを得ることができるところ、特に、徒歩で来店するだけで無料で遊技を行うことができるため、元々遊技経験がない層に対しても遊技を促すことができる。
【００４２】
「徒歩での来店」は、具体的には、遊技店の位置情報を予め記憶部２２０に記憶させておき、位置情報取得部２５０により取得される自身の位置情報に基づき、所定の測定開始地点から測定終了地点である遊技店までの移動距離と移動時間を求めたうえで、移動速度（＝移動時間／移動距離）を算出する。
測定開始地点は、例えば、自宅、遊技店近隣の駅、アプリ起動時の地点など任意に設定することができる。
そして、算出した移動速度が、例えば、１００ｍ／分以下（基準歩行速度）の場合に、徒歩で来店した、と判定することができる。
スマートフォン２００は、遊技者が徒歩で来店したことを判定した場合には、「徒歩来店情報」を遊技トークンサーバ１００に送信する。
「徒歩来店情報」に基づくシステム全体の動作は後述する（図１７参照）。
【００４３】
次に、各行動検知機器における所定動作から遊技トークン付与に至るシステム全体の動作について、図１３〜１７を参照しながら説明する。
なお、特に説明する場合を除き、スマートフォン２００のアプリは起動中とする。
【００４４】
［行動検知機器が駐輪検知機器の場合］
図１３は、行動検知機器が駐輪検知機器である場合の一連の動作を示すシーケンス図である。
すなわち、図１３は、遊技者が自転車で来店したことに基づいて遊技トークンを付与する場合のシステム全体の動作を説明するための図である。
図１３に示すように、駐輪検知機器３００が自転車の駐輪を検知する（Ｓ１）と、「駐輪情報」をスマートフォン２００に送信する（Ｓ２）。
具体的には、ＢＬＥのビーコン信号に「駐輪情報」を含めて近隣周囲に送信する。
これにより、自転車の近くにいる、当該自転車の所持者である遊技者のスマートフォン２００において「駐輪情報」が自動的に受信される。
ただし、スマートフォン２００において、「駐輪情報」の受信を自動で行わないようにすることもできる。
例えば、図１８に示すように、遊技者の確認を得た場合（「はい」を選択した場合）に、駐輪検知機器３００から「駐輪情報」を送信したり、スマートフォン２００において「駐輪情報」の受信を許容することができる。
【００４５】
スマートフォン２００は、駐輪検知機器３００から「駐輪情報」を受信すると、この「駐輪情報」とトークン会員ＩＤを遊技トークンサーバ１００に送信する（Ｓ３）。
遊技トークンサーバ１００は、スマートフォン２００から受信した「駐輪情報」に基づいて、遊技者の遊技店外における行動（駐輪）に対応する店外行動情報（自転車来店）を特定する（Ｓ４）。
具体的には、図４の対応表に基づき、「駐輪情報」に対応する「店外行動情報（自転車来店）」を特定する。
また、遊技トークンサーバ１００は、「駐輪情報」とともに受信したトークン会員ＩＤに基づいて、遊技トークンを付与するトークン会員を特定する（図３参照）。
次に、遊技トークンサーバ１００は、特定したトークン会員に対して遊技トークンを付与する（Ｓ５）。
具体的には、図４に示す対応表に基づき、「店外行動情報（自転車来店）」に対応する遊技トークン数「１００」を付与する。
そして、遊技トークンサーバ１００は、遊技トークンの残高を更新する（Ｓ６）。
例えば、付与前の遊技トークンの残高が「５００」の場合は、これに付与された遊技トークン「１００」を加算して合計値「６００」を求め、これを新たな残高として更新する（図５参照）。
このほか、遊技トークンサーバ１００は、遊技トークンの使用（遊技媒体の貸し出し及び景品交換）、発行、付与等の取引があった場合にはその都度残高を更新して遊技トークンを管理するようにしている。
【００４６】
なお、遊技トークンの残高は、例えば、トークン会員がログインすることでいつでも確認できるように特定のＷｅｂページ（マイページなど）に掲載することができる。
また、遊技トークンが付与されたタイミングで通知を行うこともできる。
図１９は、遊技トークン付与時にスマートフォン２００の表示部２３０に表示される情報の一例である。
図１９に示すように、遊技トークン付与時には、例えば、遊技トークンの付与数（「１００」）、付与前の残高（「５００」）、付与数と残高との合計（「６００））を遊技者に知らせることができる。
【００４７】
［行動検知機器がスポーツ施設の受付機の場合］
図１４は、行動検知機器がスポーツ施設の受付機４００である場合の一連の動作を示すシーケンス図である。
すなわち、図１４は、遊技者が遊技店の近くでスポーツ活動を行ったことに基づいて遊技トークンを付与する場合のシステム全体の動作を説明するための図である。
図１４に示すように、遊技者が、自身が所持するスマートフォン２００を受付機４００のリーダライタ（無線通信部４２０）にかざす（Ｓ１１）と、リーダライタは、スマートフォン２００のメモリから施設会員ＩＤを読み取る（Ｓ１２）。読み取った施設会員ＩＤは受付端末４１０に渡される。
受付機４００（受付端末４１０）は、受け取った施設会員ＩＤに対応する施設会員の受付処理を行う（Ｓ１３）とともに、リーダライタを介して「受付情報」をスマートフォン２００に送信する（Ｓ１４）。
【００４８】
スマートフォン２００は、受付機４００から「受付情報」を受信すると、この「受付情報」とトークン会員ＩＤを遊技トークンサーバ１００に送信する（Ｓ１５）。
遊技トークンサーバ１００は、スマートフォン２００から受信した「受付情報」に基づいて、遊技者の遊技店外における行動（受付）に対応する店外行動情報（スポーツ活動）を特定する（Ｓ１６）。
具体的には、図４の対応表に基づき、「受付情報」に対応する「店外行動情報（スポーツ活動）」を特定する。
また、遊技トークンサーバ１００は、「受付情報」とともに受信したトークン会員ＩＤに基づいて、遊技トークンを付与するトークン会員を特定する（図３参照）。
次に、遊技トークンサーバ１００は、特定したトークン会員に対して遊技トークンを付与する（Ｓ１７）。
具体的には、図４に示す対応表に基づき、「店外行動情報（スポーツ活動）」に対応する遊技トークン数「５０」を付与する。
そして、遊技トークンサーバ１００では、遊技トークンの残高を更新する（Ｓ１８）。
【００４９】
なお、遊技店近隣のスポーツ施設の受付機に代えて遊技店近隣の他の機器を行動検知機器として適用しても同様の処理を行うことができる。
例えば、遊技店併設の飲食店のレジ端末を行動検知機器とすることができる。
この場合、レジ端末で健康メニュー（例えば、サラダなど）の注文処理を行った場合に遊技トークンを付与することもできる。
【００５０】
［行動検知機器が禁煙機器の場合］
図１５は、行動検知機器が禁煙機器５００の場合の一連の動作を示すシーケンス図である。
すなわち、図１５は、遊技者が遊技店内で禁煙機器を使用したことに基づいて遊技トークンを付与する場合のシステム全体の動作を説明するための図である。
なお、スマートフォン２００は、禁煙機器５００とは予め事前ペアリングを行っており、自動ペアリングを設定しているものとする。
ここで、スマートフォン２００を所持している遊技者が、禁煙機器５００の電源をオンにする（Ｓ２１）と、禁煙機器５００とスマートフォン２００とが自動的にペアリングを行う（Ｓ２２）。
スマートフォン２００は、ペアリングが行われたことを検知すると、次に、遊技者が遊技店内にいるか否かを判定する（Ｓ２３）。
具体的には、位置情報取得部２５０により取得された位置情報が、予め記憶部２２０に記憶した遊技店の位置情報の範囲に含まれる場合、遊技者は遊技店内にいると判定し、それ以外は、遊技者は遊技店内にいないと判定する。
遊技者が遊技店内にいると判定した場合（Ｓ２３−Ｙｅｓ）、スマートフォン２００は、「禁煙情報」とトークン会員ＩＤを遊技トークンサーバ１００に送信する（Ｓ２４）。
なお、遊技者が遊技店内にいないと判定した場合（Ｓ２３−Ｎｏ）、処理を終了する。
【００５１】
遊技トークンサーバ１００は、スマートフォン２００から受信した「禁煙情報」に基づいて、遊技者の遊技店内における行動（禁煙）に対応する店内行動情報（禁煙）を特定する（Ｓ２５）。
具体的には、図４の対応表に基づき、「禁煙情報」に対応する「店内行動情報（禁煙）」を特定する。
また、遊技トークンサーバ１００は、「禁煙情報」とともに受信したトークン会員ＩＤに基づいて、遊技トークンを付与するトークン会員を特定する（図３参照）。
次に、遊技トークンサーバ１００は、特定したトークン会員に対して遊技トークンを付与する（Ｓ２６）。
具体的には、図４に示す対応表に基づき、「店内行動情報（禁煙）」に対応する遊技トークン数「３０」を付与する。
そして、遊技トークンサーバ１００では、遊技トークンの残高を更新する（Ｓ２７）。
なお、「禁煙」という行動に関連し、例えば、遊技台ごとに煙センサを設け、煙センサが煙を検知しない場合に、その遊技台で遊技を行っている遊技者は「遊技店内で禁煙」を行ったとして遊技トークンを付与することができる。
【００５２】
［行動検知機器が店内の血圧計の場合］
図１６は、行動検知機器が遊技店内の血圧計６００の場合の一連の動作を示すシーケンス図である。
すなわち、図１６は、遊技者が店内の血圧計を使用したことに基づいて遊技トークンを付与する場合のシステム全体の動作を説明するための図である。
図１６に示すように、血圧計６００は、血圧計本体６１０において血圧測定が行われると（Ｓ３１）、「血圧計使用情報」をスマートフォン２００に送信する（Ｓ３２）。
具体的には、ＢＬＥのビーコン信号に「血圧計使用情報」を含めて近隣周囲に送信する。
これにより、血圧計６００の近くにいる、当該血圧計６００の使用者である遊技者のスマートフォン２００において「血圧計使用情報」が自動的に受信される。
スマートフォン２００は、血圧計６００から「血圧計使用情報」を受信すると、この「血圧計使用情報」とトークン会員ＩＤを遊技トークンサーバ１００に送信する（Ｓ３３）。
遊技トークンサーバ１００は、スマートフォン２００から受信した「血圧計使用情報」に基づいて、遊技者の遊技店内における行動（血圧計使用）に対応する店内行動情報（血圧計使用）を特定する（Ｓ３４）。
具体的には、図４の対応表に基づき、「血圧計使用情報」に対応する「店内行動情報（血圧計使用）」を特定する。
また、遊技トークンサーバ１００は、「血圧計使用情報」とともに受信したトークン会員ＩＤに基づいて、遊技トークンを付与するトークン会員を特定する（図３参照）。
次に、遊技トークンサーバ１００は、特定したトークン会員に対して遊技トークンを付与する（Ｓ３５）。
具体的には、図４に示す対応表に基づき、「店内行動情報（血圧計使用）」に対応する遊技トークン数「３０」を付与する。
そして、遊技トークンサーバ１００では、遊技トークンの残高を更新する（Ｓ３６）。
【００５３】
［行動検知機器がスマートフォンの場合］
図１７は、行動検知機器がスマートフォン２００の場合の一連の動作を示すシーケンス図である。
すなわち、図１７は、遊技者が徒歩で来店したことに基づいて遊技トークンを付与する場合のシステム全体の動作を説明するための図である。
図１７に示すように、スマートフォン２００においてアプリを起動すると（Ｓ４１）、遊技者の位置追跡を開始する（Ｓ４２）。
具体的には、一定時間ごとに位置情報取得部２５０により遊技者の位置情報を取得するとともに各時刻情報を取得しつつ、これらの情報を順次記憶していく。
これにより、遊技者の現在の位置だけでなく、遊技者の移動経路及び移動時間を特定できる。
【００５４】
次に、遊技者が遊技店に来店したか否かを判定する（Ｓ４３）。
具体的には、位置情報取得部２５０により取得された位置情報により特定される遊技者の位置が、予め記憶部２２０に記憶した遊技店の位置情報と一致する場合、又は、所定の範囲に含まれる場合、遊技者は遊技店に来店したと判定し、それ以外は、遊技者は遊技店に来店していないと判定する。
なお、本実施形態において、「来店」は「入店」を含む概念である。例えば、ここでは、遊技者が遊技店の建物内に入ったことが、遊技者及び遊技店の建物の位置情報に基づいて判定された場合には、来店（入店）したと判定することができる。
遊技者が遊技店に来店したと判定された場合（Ｓ４３−Ｙｅｓ）、遊技者が徒歩で来店したか否かを判定する（Ｓ４４）。
例えば、アプリ起動時（位置追跡開始時）の地点から遊技店までの特定区間における移動距離及び移動時間に基づいて移動速度を求め、この移動速度が基準歩行速度の場合は徒歩で来店したと判定し、それ以外は、徒歩で来店していないと判定する。
なお、計測開始地点を、アプリ起動時の地点でなく、自宅や遊技店の最寄駅など任意の地点に設定することもできる。
徒歩で来店したと判定された場合（Ｓ４４−Ｙｅｓ）、スマートフォン２００は、「徒歩来店情報」とトークン会員ＩＤを遊技トークンサーバ１００に送信する（Ｓ４５）。
【００５５】
遊技トークンサーバ１００は、スマートフォン２００から受信した「徒歩来店情報」に基づいて、遊技者の遊技店外における行動（徒歩来店）に対応する店外行動情報（徒歩来店）を特定する（Ｓ４６）。
具体的には、図４の対応表に基づき、「徒歩来店情報」に対応する「店外行動情報（徒歩来店）」を特定する。
また、遊技トークンサーバ１００は、「徒歩来店情報」とともに受信したトークン会員ＩＤに基づいて、遊技トークンを付与するトークン会員を特定する（図３参照）。
次に、遊技トークンサーバ１００は、特定したトークン会員に対して遊技トークンを付与する（Ｓ４７）。
具体的には、図４に示す対応表に基づき、「店外行動情報（徒歩来店）」に対応した遊技トークン数「２００」を付与する。
そして、遊技トークンサーバ１００では、遊技トークンの残高を更新する（Ｓ４８）。
Ｓ４３の処理は、遊技者が来店したと判定されるまで継続して行われる。
また、Ｓ４４において、徒歩で来店したと判定されなかった場合（Ｓ４４−Ｎｏ）、処理を終了する。
【００５６】
なお、徒歩での移動距離が長いほど多くの遊技トークンを付与するように基準を段階的に設けることができる。
例えば、歩行距離が２ｋｍ以内に付与される遊技トークン数は「２００」とし、これから１ｋｍ長くなるごとに遊技トークンを「５０」加算するようにすることもできる。
これにより、より遊技者の健康の増進を図ることができるとともに、さらに来店や遊技を促すことができる。
【００５７】
また、「歩く」という、所定基準を満たす運動量を伴う行動に関連し、例えば、通信機能付きの万歩計（登録商標）を行動検知機器として用いることができる。
この場合、遊技者が来店するまでの歩数をスマートフォンに送信し、基準歩数を超える歩数の場合に遊技トークンを付与するようにすることができる。
また、この場合も、基準歩数を段階的に設定して対応する数の遊技トークンを付与することもできる。
また、スマートフォン２００の歩数測定アプリを利用することで、スマートフォン２００を前記万歩計（行動検知機器）として用いることができる。
なお、このように遊技者が個々に所持する万歩計や禁煙機器５００などについては、遊技店における景品交換を経て取得したものなど、遊技店側が指定したものに限定して行動検知機器とすることができる。
遊技店の管理する機器でなければ、行動検知機器としての特定が困難であり、例えば、スマートフォン２００において、管理下にない万歩計から何らかの情報を受信しても、それが何を意味する情報か識別困難だからである。
【００５８】
次に、遊技トークンを購入する場合の動作について説明する。
図２０は、遊技店内において遊技トークンを購入する場合の一連の動作を示すシーケンス図である。
なお、遊技店内には、遊技トークンの購入操作が可能な情報処理端末（以下、専用端末という）が設置されているものとする。
また、専用端末は、遊技トークンサーバ１００と店内ネットワークを介して通信可能に接続されているものとする。
【００５９】
図２０に示すように、遊技者は、専用端末において認証情報（トークン会員ＩＤ及びパスワード）を入力する（Ｓ５１）。これにより、認証情報が専用端末から遊技トークンサーバ１００に送信される。
遊技トークンサーバ１００は、専用端末から受信した認証情報について認証を行う（Ｓ５２）。ここでは、認証が得られたものとする。
次に、遊技者は、専用端末において遊技トークンの購入数を指定する（Ｓ５３）。
これにより、遊技トークンの購入数の情報が専用端末から遊技トークンサーバ１００に送信される。
続いて、遊技トークンサーバ１００において遊技トークンの決済を行う（Ｓ５４）。
決済は、公知の様々な方法（店舗レジ（現金）、プリペイドカード、電子マネーなど）を用いて行うことができる。なお、決済の具体的な説明は省略する。
遊技トークンサーバ１００は、決済が完了すると、指定された購入数の遊技トークンを発行する（Ｓ５５）。
そして、遊技トークンサーバ１００は、遊技トークンの残高を更新する（Ｓ５６）。
例えば、発行前の遊技トークンの残高が「０」の場合において、遊技トークン「５００」を購入（発行）した場合は、これらの合計値「５００」が新たな残高として更新される（図５参照）。
このほか、遊技トークンサーバ１００は、遊技トークンの取引があった場合にはその都度残高を更新して遊技トークンを管理するようにしている。
【００６０】
本実施形態の遊技トークンシステムでは、遊技店外におけるシステム（以下、外部システムという。）を介して遊技トークンを購入できるようにしている。
外部システムとしては、例えば、コンビニエンスストアの決済システムやビットコインやトークンの売買を行う仮想通貨取引所の決済システムなどを例示することができる。
このような外部システムにおいて、遊技者は、自身が所持するスマートフォンやパーソナルコンピュータ、コンビニエンスストアに設置されている情報処理端末（以下、購入用端末と総称する。）を操作して購入操作を行うことができる。
このため、外部システムには、システム内で取り扱う商品（仮想通貨やトークンを含む）に対する購入要求に応じて決済処理を行う情報処理装置（以下、外部サーバという。）が備えられている。
購入用端末、外部サーバ、遊技トークンサーバ１００は、それぞれインターネット等を介して相互に通信できるものとする。
【００６１】
図２１は、外部システムを介して遊技トークンを購入する場合の一連の動作を示すシーケンス図である。
図２１に示すように、遊技者は、購入用端末から外部サーバが提供している遊技トークンの購入サイトにアクセスする（Ｓ６１）。
例えば、外部システムが提供する様々な商品の購入ページの中から遊技トークンの購入ページを選択する。これにより、購入用端末に遊技トークンの購入ページが表示される。
なお、購入ページには、認証情報（トークン会員ＩＤ及びパスワード）の入力欄や遊技トークンの購入数の指定欄が設けられているものとする。
次に、遊技者は、認証情報を入力する（Ｓ６２）。入力された認証情報は、購入用端末から外部サーバを介して遊技トークンサーバ１００に送信される。
遊技トークンサーバ１００は、受信した認証情報について認証を行う（Ｓ６３）。ここでは、認証が得られたものとする。
続いて、遊技者は、遊技トークンの購入数を指定する（Ｓ６４）。
これにより、購入用端末から外部サーバに対して、遊技トークンの購入数の情報が送信される。
【００６２】
次に、外部サーバにおいて遊技トークンの決済を行う（Ｓ６５）。
決済は、公知の様々な方法（インターネットバンキング、銀行ＡＴＭ、クレジットカード、電子マネー、コンビニエンスストアの店頭レジ・店頭設置端末など）を用いて行うことができる。
例えば、インターネットバンキングで決済を行う場合、外部サーバは、インターネットバンキングを管轄する銀行その他の事業者のホストコンピュータに決済を依頼し、決済が完了すると、ホストコンピュータから決済が完了した旨の通知（決済完了通知）を受ける。これに伴い、外部サーバは、遊技トークンサーバ１００に対して決済完了通知を行う。
次に、遊技トークンサーバ１００は、指定された購入数の遊技トークンを発行する（Ｓ６６）。
そして、遊技トークンサーバ１００は、遊技トークンの残高を更新する（Ｓ６７）。
例えば、発行前の遊技トークンの残高が「４００」の場合において、外部システムを介して遊技トークン「３００」を購入（発行）した場合は、これらの合計値「７００」が新たな残高として更新される（図５参照）。
このほか、遊技トークンサーバ１００は、遊技トークンの取引があった場合にはその都度残高を更新して遊技トークンを管理するようにしている。
【００６３】
なお、遊技トークンは、仮想通貨取引所等を介して遊技トークンを購入することができるが、仮想通貨取引所等を介して遊技トークンを売却できるようにすることもできる。
これにより、ビットコインなどの仮想通貨のように、遊技トークン自体の価値が上昇した場合に、遊技店は、遊技トークンの提供者としての利益を得ることができる。
【００６４】
遊技トークンシステムでは、遊技トークンを使用して遊技店内に設置される遊技機で遊技を行うことができるようにしている。
具体的には、各台計数機能付きサンド２０において、遊技トークンを用いて遊技媒体を貸出すことができる機能をもたせ、本機能により貸し出された遊技媒体を用いて遊技機で遊技できるようにしている。
なお、各台計数機能付きサンド２０は、バーコード読み取り部（例えば、固定型のバーコードスキャナ）を設けているものとする。
【００６５】
図２２は、遊技トークンを用いて遊技媒体の貸出しを行う場合の一連の動作を示すシーケンス図である。
図２２に示すように、遊技者は、まず、自身が所持するスマートフォン２００にトークン会員ＩＤのバーコードを表示させ（Ｓ７１）、これを各台計数機能付きサンド２０のバーコード読み取り部に読み取らせる操作を行う。
図２３は、スマートフォン２００の表示部２３０に表示させたトークン会員ＩＤのバーコードの一例である。
各台計数機能付きサンド２０は、バーコードからトークン会員ＩＤを読み取る（Ｓ７２）と、読み取ったトークン会員ＩＤを遊技トークンサーバ１００に送信する（Ｓ７３）。
遊技トークンサーバ１００は、各台計数機能付きサンド２０から受信したトークン会員ＩＤに基づき、該当するトークン会員の遊技トークンの残高を特定する（Ｓ７４）。
例えば、トークン会員ＩＤが「Ａ１２３」の場合には、図５に示す管理表を参照することで、遊技トークンの残高が「６００」であることを特定することができる。
遊技トークンサーバ１００は、特定した遊技トークンの残高情報を各台計数機能付きサンド２０に送信する。
各台計数機能付きサンド２０は、遊技トークンの残高情報を受信すると、残高に対応した遊技媒体数を算出する（Ｓ７５）。
例えば、メダルと遊技トークンとの交換割合が、１メダルに対し２遊技トークンの場合、残高が「６００」に対応するメダル数「３００」（＝６００／２）が算出される。算出した遊技媒体数は、所定の表示手段に表示させることができる。
つまり、この場合、遊技者は、「３００」の範囲内でメダルの貸出しを行うことができる。
【００６６】
次に、遊技媒体の貸出処理を行う（Ｓ７６）。
具体的には、各台計数機能付きサンド２０における遊技者の貸出操作に基づいて遊技媒体の貸し出しを行う。
これにより、各台計数機能付きサンド２０から遊技トークンサーバ１００に対し、貸出数情報が送信される。
貸出数情報を受信した遊技トークンサーバ１００は、この貸出数に対応した遊技トークン数を算出する（Ｓ７７）。
例えば、上記交換割合によれば、メダルの貸出数「１００」の場合、貸出数に対応した遊技トークン数「２００」（＝１００×２）を算出することができる。
つまり、この場合、遊技トークン「２００」を使用したことになる。
そして、遊技トークンサーバ１００は、遊技トークンの残高を更新する（Ｓ７８）。
例えば、貸出前の遊技トークンの残高が「６００」の場合において、遊技トークンを「２００」使用した場合は、「４００」が新たな残高として更新され管理される（図５参照）。
このほか、遊技トークンサーバ１００は、遊技トークンの取引があった場合にはその都度残高を更新して遊技トークンを管理するようにしている。
【００６７】
次に、遊技トークンを用いた景品交換について、図２４を参照しながら説明する。
すなわち、遊技場における一般的な遊技サービスとして、遊技者が所持する遊技媒体数の範囲内で、遊技者が希望する景品との交換を行うことができるが、本実施形態の遊技トークンシステムでは、このような遊技サービスに加え、遊技者が所持する遊技トークンの範囲内で、遊技者が希望する景品との交換を行うこともできる。
なお、ここでは、店舗会員が会員カードを用いて景品交換を行う場合について説明する。
また、遊技店が取り扱う景品には、ジュース、お菓子、タバコなどの一般的な景品のほか、禁煙機器、禁煙ガム、近隣のスポーツ施設の利用券、万歩計、栄養ドリンクなどの健康増進に資する景品（以下、特定景品という）もあるものとする。
図２５は、これら特定景品と交換トークン数との対応表であり、この対応表の情報は、景予め景品交換装置６０に記憶されているものとする。
【００６８】
図２４に示すように、まず、景品交換装置６０において店舗会員が所持する会員カードの読み取りを行う（Ｓ８１）。
具体的には、店舗会員が店員に会員カードを渡すことで、店員が景品交換装置６０に備えられているカードリーダ６０ａを操作して会員カードの読み取りを行う。
これにより、景品交換装置６０は、会員番号（カードＩＤ）を取得する。取得した会員番号の情報は、景品交換装置６０から遊技トークンサーバ１００に送信される。
次に、遊技トークンサーバは、トークン会員を特定する（Ｓ８２）。
具体的には、景品交換装置６０から受信した会員番号に基づき、対応するトークン会員ＩＤを特定する（図３参照）。
次に、遊技トークンサーバ１００は、遊技トークンの残高の特定を行う（Ｓ８３）。
具体的には、トークン会員ＩＤに対応して管理されている遊技トークンの残高を特定する（図５参照）。
【００６９】
遊技トークンサーバ１００は、特定した遊技トークンの残高の情報を景品交換装置に６０に送信する。これにより、景品交換装置６０において、遊技トークンの残高を表示することができる。
次に、遊技トークンの残高の範囲内で景品の選択・決定を行う（Ｓ８４）。
景品交換装置６０は、選択された景品との引き替えに必要な遊技トークン数（交換トークン数）の情報を遊技トークンサーバ１００に送信する。
そして、遊技トークンサーバ１００は、残高を更新する（Ｓ８５）。
具体的には、更新前の遊技トークンの残高から、景品交換装置６０から受信した交換トークン数を減算し、減算結果を新たな残高として更新する。
例えば、景品交換前の遊技トークンの残高が「７００」である場合に、交換トークン数「５０」の万歩計（図２５参照）が選択された場合には、「６５０」（＝７００−５０）が新たな残高として更新される（図５参照）。
このほか、遊技トークンサーバ１００は、遊技トークンの取引があった場合にはその都度残高を更新して遊技トークンを管理するようにしている。
【００７０】
なお、ここでは、店舗会員が、自身が保有する遊技トークンと景品とを交換する場合について説明したが、店舗会員でなくとも景品交換を行うことができる。
具体的には、景品交換装置に６０にリーダライタなどのトークン会員ＩＤの入力手段を備えることで実現できる。
例えば、スマートフォン２００をこのリーダライタに読み取らせることでスマートフォン２００のメモリに記憶されているトークン会員ＩＤを景品交換装置６０が取得できるため、景品交換装置６０は、当該トークン会員ＩＤに対応して管理されている遊技トークンの残高を遊技トークンサーバ１００から得ることができ、当該残高の範囲内で景品交換を行うことができる。
【００７１】
遊技トークンシステムでは、景品交換において交換した景品が特定景品の場合に、遊技トークンを付与することもできる。
以下、景品交換において交換した景品が特定景品の場合に遊技トークンを付与する方法について図２６を参照して説明する。
なお、遊技トークンサーバ１００は、図２７に示す特定景品と付与トークン数との対応表を予め記憶しているものとする。
【００７２】
図２６に示すように、まず、景品交換装置６０において店舗会員が所持する会員カードの読み取りを行う（Ｓ９１）。
具体的には、店舗会員が店員に会員カードを渡すことで、店員が景品交換装置６０に備えられているカードリーダ６０ａを操作して会員カードの読み取りを行う。
これにより、景品交換装置６０は、会員番号を取得する。
また、このとき、景品交換装置６０は、店舗会員が保有する貯玉数を特定する。貯玉数は、会員カードを読み取って取得したり、会員管理装置８０に問い合わせて取得することができる。
次に、景品交換装置６０において、景品交換処理を行う（Ｓ９２）。
ここでは、特定景品が選択されて景品交換処理が行われたものとする。
景品交換装置６０は、選択された特定景品の識別情報と会員番号を遊技トークンサーバ１００に送信する（Ｓ９３）。
遊技トークンサーバは、遊技トークンを付与する（Ｓ９４）。
具体的には、景品交換装置６０から受信した識別情報から特定景品を特定し、特定した特定景品に対応する数の遊技トークンを付与する。
例えば、特定景品として万歩計が選択された場合は、「５」の遊技トークンを付与する（図２７参照）。
そして、遊技トークンサーバ１００は、遊技トークンの残高を更新する（Ｓ９５）。
【００７３】
以上説明したように、本実施形態の遊技トークンサーバ１００は、遊技者の所持するスマートフォン２００から送信される情報に基づいて、当該遊技者の遊技店外や遊技店内における健康増進に資する行動に対応する店外行動情報や店内行動情報を特定し、これら店外行動情報や店内行動情報に基づいて遊技者が遊技店内で使用可能な遊技価値を付与するようにしている。
このため、本発明によれば、遊技者（顧客）を健康にできるといった効果を奏する。
特に、近年は、高齢化社会への移行に伴う医療費の肥大化が問題となり、病気になること自体を防ぐため健康志向が高まってきているところ、本発明によれば、遊技場が遊技者の健康の一助となることができる。
また、顧客は健康増進に資することを行うだけで遊技ができるため、利益が大きく、遊技への足掛かりを作り易くすることができる。
特に、遊技者は、現金又は遊技トークンを使用して遊技媒体の貸し出しを行って遊技を行うだけでなく、所定の付与条件を達成すれば現金又は遊技トークンを所持していなくても無料で遊技することができる。
したがって、本発明によれば、一般の遊技者だけでなく新規顧客や休眠顧客を遊技店に呼び込むことができる。
ところで、遊技トークンは、遊技店側で発行するため、遊技者が無料で得た遊技トークンを遊技に使用された場合にはその遊技料金を遊技店側で負担することになる。
しかしながら、遊技店側からすると、このような負担があっても、新規顧客や休眠顧客を遊技店に呼び込むことができるのであれば、その負担以上の利益が得られる可能性がある。
また、遊技トークンの価値が上がれば、顧客も遊技店に足を運びたくなり囲い込みができるようになる。
【００７４】
これに対し、従来のシステムは、特許文献１に示されるように、単に来店を促す目的で考えられたものでしかなく、元々遊技経験がない層に来店を促す手段としては有効とは言い難いものであった。
例えば、遊技場が遊技者の健康の一助となることができていなかった。
本発明によれば、健康増進に資することを行うだけで遊技を行うことができるなど、これまでにない効果が期待できるため、従来の遊技用装置や遊技場システムが有する上記問題の一部又は全部を解決することができる。
【００７５】
以上、本発明の遊技用装置の好ましい実施形態について説明したが、本発明に係る遊技用装置は上述した実施形態にのみ限定されるものではなく、本発明の範囲で種々の変更実施が可能であることは言うまでもない。
【００７６】
例えば、遊技トークンの代わりに、ポイント数に応じて各種特典を受けることができる従来のポイントを付与することもできる。
また、遊技者が遊技中に休憩をとった場合は、健康増進に資することを行ったとして遊技トークンを付与することもできる。
この場合、例えば、ホールコンピュータ５０において、遊技機から出力されるアウト情報のパターンや遊技者からの申告受付に基づき、遊技者が休憩をとったと判定された場合に遊技トークンを付与することができる。
【００７７】
また、スマートフォン２００の位置情報に基づき、遊技者がチェーンの別店舗に徒歩で行ったことが確認できた場合は、遊技トークンを付与することができる。
これに対し、遊技者が別チェーンの店舗に行った場合には、徒歩で行ったことが確認できた場合でも遊技トークンを付与しないようにすることができる。
また、上述の実施形態では、遊技者が来店したことをスマートフォン２００が自身の位置情報に基づき判定するようにしているが、例えば、遊技店の入口等にリーダライタをチェックポイントとして設け、来店時にスマートフォン２００をかざすチェックイン操作を行うことに基づいて来店を判定することもできる。
すなわち、このようなチェックイン操作に応じ、リーダライタが、来店したことを示す識別情報をスマートフォン２００に送信するようにすれば、スマートフォン２００及び遊技トークンサーバ１００において遊技者が来店したことを確実に把握することができる。
また、遊技者が来店したことや遊技店内にいることを、遊技トークンサーバ１００において行わせることもできる。
この場合、予め遊技トークンサーバ１００に遊技店の位置情報を登録しておき、遊技者のスマートフォン２００から位置情報を適時受信するようにすることで、遊技トークンサーバ１００において、遊技者が遊技店内にいることや来店したことを判定させることができる。
また、これにより、遊技トークンサーバ１００において、遊技者の来店までの移動速度を求めることができるため、遊技者が徒歩で来店したか否かも判定することができる。
また、図２８に示すように、スマートフォン２００において、自身の位置（現在地）、遊技店の位置、最寄りの駅、駅から遊技店の道順などを表示することもできる。
【符号の説明】
【００７８】
１０  遊技機
２０  各台計数機能付きサンド
６０  景品交換装置
１００  遊技トークンサーバ
２００  スマートフォン（兼行動検知機器）
３００  駐輪検知機器（行動検知機器）
４００  受付機（行動検知機器）
５００  禁煙機器（行動検知機器）
６００  血圧計（行動検知機器）
【図１】
2019187638.tif 000003
【図２】
2019187638.tif 000004
【図３】
2019187638.tif 000005
【図４】
2019187638.tif 000006
【図５】
2019187638.tif 000007
【図６】
2019187638.tif 000008
【図７】
2019187638.tif 000009
【図８】
2019187638.tif 000010
【図９】
2019187638.tif 000011
【図１０】
2019187638.tif 000012
【図１１】
2019187638.tif 000013
【図１２】
2019187638.tif 000014
【図１３】
2019187638.tif 000015
【図１４】
2019187638.tif 000016
【図１５】
2019187638.tif 000017
【図１６】
2019187638.tif 000018
【図１７】
2019187638.tif 000019
【図１８】
2019187638.tif 000020
【図１９】
2019187638.tif 000021
【図２０】
2019187638.tif 000022
【図２１】
2019187638.tif 000023
【図２２】
2019187638.tif 000024
【図２３】
2019187638.tif 000025
【図２４】
2019187638.tif 000026
【図２５】
2019187638.tif 000027
【図２６】
2019187638.tif 000028
【図２７】
2019187638.tif 000029
【図２８】
2019187638.tif 000030